(57)【要約】【課題】より簡易で一覧性に優れ診察から会計及び支払処理までを一括して行うことが可能なユーザインターフェースを提供すること。【解決手段】本発明は、タッチディスプレイを有する動物患者用電子カルテ端末であり、、動物患者情報と、会計履歴情報とを記憶する記憶部と、当該動物患者情報のうち、来院当日に新規作成された新規レコード情報を抽出する抽出部と、抽出した前記新規レコード情報に基づいて当該新規レコード情報毎に算出された個別報酬額と当該個別報酬額の総額である報酬総額とを算出する算出部と、前記報酬総額から支払金額を生成して少なくとも前記タッチディスプレイ上に表示する表示部と、前記飼主ユーザから受け取った受取金額の入力を受け付ける受付部と、前記支払金額と前記受取金額とに基づいて支払処理を行う支払処理部と、当該支払処理を前記会計履歴情報に登録する登録部と、を備えている。【選択図】図５
2022003595.tif 000002
【特許請求の範囲】
【請求項１】
動物患者用電子カルテ端末であって、
問診情報、身体所見情報、現病歴情報、検査履歴情報、診断履歴情報、処置履歴情報、投薬歴情報又は処方履歴情報の少なくともいずれかを二以上含む動物患者情報と、会計履歴情報とを記憶する記憶部と、
当該動物患者情報のうち、来院当日に新規作成された新規レコード情報を抽出する抽出部と、
抽出した前記新規レコード情報に基づいて当該新規レコード情報毎に算出された個別報酬額と当該個別報酬額の総額である報酬総額とを算出する算出部と、
前記報酬総額から支払金額を生成して表示する表示部と、
前記飼主ユーザから受け取った受取金額の入力を受け付ける受付部と、
前記支払金額と前記受取金額とに基づいて支払処理を行う支払処理部と、
当該支払処理を前記会計履歴情報に登録する登録部と、
を備える、
動物患者用電子カルテ端末。
【請求項２】
請求項１に記載の動物患者用電子カルテ端末であって、
前記支払処理に関する情報を飼主ユーザ端末に送信する送信部を更に備える、
動物患者用電子カルテ端末。
【請求項３】
請求項２に記載の動物患者用電子カルテ端末であって、
前記送信部は、前記支払処理に基づいて保険申請書類に必要な情報を生成して前記飼主ユーザ端末に送信する、
動物患者用電子カルテ端末。
【請求項４】
請求項１乃至請求項３のいずれかに記載の動物患者用電子カルテ端末であって、
前記算出部は、抽出した前記レコード追加情報に対して保険適用対象であるか否かを判定し、前記保険適用対象である場合には前記報酬総額から前記保険適用対象に関する所定の金額を控除した金額を前記支払金額として算出する、
動物患者用電子カルテ端末。
【請求項５】
請求項１乃至請求項４のいずれかに記載の動物患者用電子カルテ端末であって、
前記表示部は、前記動物患者情報が表示された状態で前記支払金額を表示すると共に、表示された当該動物患者情報に重畳して前記受取金額の入力を受け付ける操作用インターフェースを表示する
動物患者用電子カルテ端末。
【請求項６】
動物患者用電子カルテ端末を、
問診情報、身体所見情報、現病歴情報、検査履歴情報、診断履歴情報、処置履歴情報、投薬歴情報又は処方履歴情報の少なくともいずれかを二以上含む動物患者情報と、会計履歴情報とを記憶する記憶部、
当該動物患者情報のうち、来院当日に新規作成された新規レコード情報を抽出する抽出部、
抽出した前記新規レコード情報に基づいて当該新規レコード情報毎に算出された個別報酬額と当該個別報酬額の総額である報酬総額とを算出する算出部、
前記報酬総額から支払金額を生成して表示する表示部、
前記飼主ユーザから受け取った受取金額の入力を受け付ける受付部、
前記支払金額と前記受取金額とに基づいて支払処理を行う支払処理部、
当該支払処理を前記会計履歴情報に登録する登録部、
として機能させる、
動物患者用電子カルテプログラム。
【請求項７】
サーバと、当該サーバと通信可能に接続されている動物患者用電子カルテ端末を備える動物患者用電カルテシステムであって、
前記サーバは、
問診情報、身体所見情報、現病歴情報、検査履歴情報、診断履歴情報、処置履歴情報、投薬歴情報又は処方履歴情報の少なくともいずれかを二以上含む動物患者情報と、会計履歴情報とを記憶する記憶部を少なくとも有しており、
前記動物患者用電子カルテ端末は、
当該動物患者情報のうち、来院当日に新規作成された新規レコード情報を抽出する抽出部、
抽出した前記新規レコード情報に基づいて当該新規レコード情報毎に算出された個別報酬額と当該個別報酬額の総額である報酬総額とを算出する算出部、
前記報酬総額から支払金額を生成して表示する表示部、
前記飼主ユーザから受け取った受取金額の入力を受け付ける受付部、
前記支払金額と前記受取金額とに基づいて支払処理を行う支払処理部、
当該支払処理を前記会計履歴情報に登録するために前記サーバに送信する送信部、
を備えている、
動物患者用電子カルテシステム。
【発明の詳細な説明】
【技術分野】
【０００１】
本発明は、動物患者用電子カルテ端末、動物患者用電子カルテプログラム及び動物患者用電子カルテシステムに関する。
【背景技術】
【０００２】
従来、人間患者の診察から会計を支援する業務システムが開示されている。
【０００３】
例えば、例えば病院や診療所等の医療機関及び介護施設並びに患者自宅等における受付、予診、診察、診療報酬計算、及び会計までの一連の業務を支援する方法が開示されている（特許文献１）。
【先行技術文献】
【特許文献】
【０００４】
【特許文献１】特開２０１７−１９１３８９号公報
【発明の概要】
【発明が解決しようとする課題】
【０００５】
しかしながら、特許文献１は、診察処理から会計処理を実施するにあたり、別の画面遷移を辿らなければならず、情報の一覧性に欠ける。特に動物を患者とする診療の場合、人間の診療とは会計や報酬の仕組み等が根本的に異なるため、それらを反映した新規なユーザインターフェースの提供が期待される。
【０００６】
そこで、本発明では、より簡易で一覧性に優れ、診察から会計及び支配処理までを一括して行うことが可能なユーザインターフェースを提供することを目的とする。
【課題を解決するための手段】
【０００７】
本発明によれば、動物患者用電子カルテ端末であって、
問診情報、身体所見情報、現病歴情報、検査履歴情報、診断履歴情報、処置履歴情報、投薬歴情報又は処方履歴情報の少なくともいずれかを二以上含む動物患者情報と、会計履歴情報とを記憶する記憶部と、
当該動物患者情報のうち、来院当日に新規作成された新規レコード情報を抽出する抽出部と、
抽出した前記新規レコード情報に基づいて当該新規レコード情報毎に算出された個別報酬額と当該個別報酬額の総額である報酬総額とを算出する算出部と、
前記報酬総額から支払金額を生成して表示する表示部と、
前記飼主ユーザから受け取った受取金額の入力を受け付ける受付部と、
前記支払金額と前記受取金額とに基づいて支払処理を行う支払処理部と、
当該支払処理を前記会計履歴情報に登録する登録部と、
を備える、
動物患者用電子カルテ端末が得られる。
【発明の効果】
【０００８】
本発明によれば、より簡易で一覧性に優れ、診察から会計及び支配処理までを一括して行うことが可能となる。
【図面の簡単な説明】
【０００９】
【図１】本発明の第一実施形態に係る電子カルテシステムを示すブロック構成図である。
【図２】図１のサーバ端末１００の機能ブロック構成図である。
【図３】図１の動物病院端末３００の機能ブロック構成図である。
【図４】サーバ１００に格納される電子カルテデータの一例を示す模式図である。
【図５】本発明の第一実施形態に係る、電子カルテの提供方法を説明するフローチャートの一例である。
【図６】本発明の第一実施形態に係る、動物病院端末３００において表示されるユーザインターフェースの一例である。
【図７】本発明の第一実施形態に係る、動物病院端末３００において表示されるユーザインターフェースの他の一例である。
【図８】本発明の第一実施形態に係る、動物病院端末３００において表示されるユーザインターフェースのさらに他の一例である。
【図９】本発明の第二実施形態に係る、動物病院端末３００において表示されるユーザインターフェースの一例である。
【図１０】本発明の第二実施形態に係る、動物病院端末３００において表示されるユーザインターフェースの他の例である。
【発明を実施するための形態】
【００１０】
以下、本発明の実施形態について図面を参照して説明する。なお、以下に説明する実施形態は、特許請求の範囲に記載された本発明の内容を不当に限定するものではない。また、実施形態に示される構成要素のすべてが、本発明の必須の構成要素であるとは限らない。
【００１１】
本発明は以下のような構成を備える。
［項目１］
動物患者用電子カルテ端末であって、
問診情報、身体所見情報、現病歴情報、検査履歴情報、診断履歴情報、処置履歴情報、投薬歴情報又は処方履歴情報の少なくともいずれかを二以上含む動物患者情報と、会計履歴情報とを記憶する記憶部と、
当該動物患者情報のうち、来院当日に新規作成された新規レコード情報を抽出する抽出部と、
抽出した前記新規レコード情報に基づいて当該新規レコード情報毎に算出された個別報酬額と当該個別報酬額の総額である報酬総額とを算出する算出部と、
前記報酬総額から支払金額を生成して表示する表示部と、
前記飼主ユーザから受け取った受取金額の入力を受け付ける受付部と、
前記支払金額と前記受取金額とに基づいて支払処理を行う支払処理部と、
当該支払処理を前記会計履歴情報に登録する登録部と、
を備える、
動物患者用電子カルテ端末。
［項目２］
項目１に記載の動物患者用電子カルテ端末であって、
前記支払処理に関する情報を飼主ユーザ端末に送信する送信部を更に備える、
動物患者用電子カルテ端末。
［項目３］
項目２に記載の動物患者用電子カルテ端末であって、
前記送信部は、前記支払情報に基づいて保険申請書類に必要な情報を生成して前記飼主ユーザ端末に送信する、
動物患者用電子カルテ端末。
［項目４］
項目１乃至項目３のいずれかに記載の動物患者用電子カルテ端末であって、
前記算出部は、抽出した前記レコード追加情報に対して保険適用対象であるか否かを判定し、前記保険適用対象である場合には前記報酬総額から前記保険適用対象に関する所定の金額を控除した金額を前記支払金額として算出する、
動物患者用電子カルテ端末。
［項目５］
項目１乃至項目４のいずれかに記載の動物患者用電子カルテ端末であって、
前記表示部は、前記動物患者情報が表示された状態で前記支払金額を表示すると共に、表示された当該動物患者情報に重畳して前記受取金額の入力を受け付ける操作用インターフェースを表示する
動物患者用電子カルテ端末。
［項目６］
動物患者用電子カルテ端末を、
問診情報、身体所見情報、現病歴情報、検査履歴情報、診断履歴情報、処置履歴情報、投薬歴情報又は処方履歴情報の少なくともいずれかを二以上含む動物患者情報と、会計履歴情報とを記憶する記憶部、
当該動物患者情報のうち、来院当日に新規作成された新規レコード情報を抽出する抽出部、
抽出した前記新規レコード情報に基づいて当該新規レコード情報毎に算出された個別報酬額と当該個別報酬額の総額である報酬総額とを算出する算出部、
前記報酬総額から支払金額を生成して表示する表示部、
前記飼主ユーザから受け取った受取金額の入力を受け付ける受付部、
前記支払金額と前記受取金額とに基づいて支払処理を行う支払処理部、
当該支払処理を前記会計履歴情報に登録する登録部、
として機能させる、
動物患者用電子カルテプログラム。
［項目７］
サーバと、当該サーバと通信可能に接続されている動物患者用電子カルテ端末を備える動物患者用電カルテシステムであって、
前記サーバは、
問診情報、身体所見情報、現病歴情報、検査履歴情報、診断履歴情報、処置履歴情報、投薬歴情報又は処方履歴情報の少なくともいずれかを二以上含む動物患者情報と、会計履歴情報とを記憶する記憶部を少なくとも有しており、
前記動物患者用電子カルテ端末は、
当該動物患者情報のうち、来院当日に新規作成された新規レコード情報を抽出する抽出部、
抽出した前記新規レコード情報に基づいて当該新規レコード情報毎に算出された個別報酬額と当該個別報酬額の総額である報酬総額とを算出する算出部、
前記報酬総額から支払金額を生成して表示する表示部、
前記飼主ユーザから受け取った受取金額の入力を受け付ける受付部、
前記支払金額と前記受取金額とに基づいて支払処理を行う支払処理部、
当該支払処理を前記会計履歴情報に登録するために前記サーバに送信する送信部、
を備えている、
動物患者用電子カルテシステム。
【００１２】
（実施形態１）
＜構成＞
図１は、本発明の実施形態１に係る電子カルテシステム１を示すブロック構成図である。この電子カルテシステム１は、一又は複数の動物病院端末のタッチディスプレイ等を介して表示される、電子カルテの閲覧用及び／または編集用のユーザインターフェースを提供する。
【００１３】
電子カルテシステム１は、サーバ端末（データ処理装置）１００と、ユーザ端末２００と、ネットワークＮＷとを有している。サーバ端末１００と、ユーザ端末２００とは、ネットワークＮＷを介して接続される。ネットワークＮＷは、インターネット、イントラネット、無線ＬＡＮ（Local Area Network）やＷＡＮ（Wide Area Network）等により構成される。
【００１４】
サーバ端末１００は、動物患者ユーザ毎の電子カルテデータを格納し、処理を行う装置であり、例えば、ワークステーションやパーソナルコンピュータのような汎用コンピュータとしてもよいし、或いはクラウド・コンピューティングによって論理的に実現されてもよい。
【００１５】
ユーザ端末２００は、動物患者の飼主等が所持し、利用する、例えば、パーソナルコンピュータやタブレット端末等の情報処理装置であるが、スマートフォンや携帯電話、ＰＤＡ等により構成しても良い。
【００１６】
動物病院端末３００は、動物病院が管理し、動物病院の医師、看護師、スタッフ等が利用する、例えば、パーソナルコンピュータやタブレット端末等の情報処理装置であるが、スマートフォンや携帯電話、ＰＤＡ等により構成しても良い。
【００１７】
本実施形態では、電子カルテシステム１は、サーバ端末１００、ユーザ端末２００及び動物病院端末３００を備え、ユーザ端末２００及び／または動物病院端末３００を利用してサーバ端末１００に対する操作を行う構成として説明するが、サーバ端末１００がスタンドアローンで構成され、サーバ端末１００自身にユーザが操作を行う機能を備えても良いし、サーバ端末１００において実行されるプログラムの全部または一部を、ユーザ端末２００及び／または動物病院端末３００にインストールすることで、サーバ端末１００により実行される機能の全部または一部を、当該ユーザ端末２００及び／動物病院端末３００によって実行されることとしてもよい。
【００１８】
図２は、図１のサーバ端末１００を機能ブロック構成図である。サーバ端末１００は、通信部１１０と、記憶部１２０と、制御部１３０とを備える。
【００１９】
通信部１１０は、ネットワークＮＷを介してユーザ端末２００及び動物病院端末３００と通信を行うための通信インターフェースであり、例えばＴＣＰ／ＩＰ（Transmission Control Protocol/Internet Protocol）等の通信規約により通信が行われる。
【００２０】
記憶部１２０は、制御部１３０によって実行されるプログラム、ユーザ端末２００及び／または動物病院端末３００から受信する、入力データ等を記憶するものであり、ＲＡＭ（Random Access Memory）、ＲＯＭ（Read Only Memory）、ＨＤＤ（Hard Disk Drive）等から構成される。また、記憶部１２０は、ユーザ毎の電子カルテデータを格納する、電子カルテデータ格納部１２１を有する。さらに、記憶部１２０は、診療項目や処方毎の報酬テーブル等会計処理に必要なデータを格納する、会計データ格納部１２２を有する。また、さらに、記憶部１２０は、（図示しない）電子カルテユーザインターフェースを構成するアイコン等のグラフィック表現を行うためのデータ、電子カルテインターフェースを構成する各情報を表示するために必要なテキストデータ、電子カルテインターフェースのレイアウトを決定するためのレイアウト決定用データ、入力内容を基に診断情報を推奨するための診断情報推奨プログラム等、各種データまたはプログラムを格納することができる。なお、各データを格納したデータベース（図示せず）が、記憶部１２０外に構築されていてもよい。
【００２１】
制御部１３０は、記憶部１２０に記憶されているプログラムを実行することにより、サーバ端末１００の全体の動作を制御するものであり、ＣＰＵ（Central Processing Unit）やＧＰＵ（Graphics Processing Unit）等から構成される。制御部１３０の機能として、ユーザのユーザ端末１２０からの指示受付部１３１と、データ処理部１３２と、画像生成部１３３とを有する。この指示受付部１３１、データ処理部１３２、及び画像生成部１３３は、記憶部１２０に記憶されているプログラムにより起動されてコンピュータ（電子計算機）であるサーバ端末１００により実行される。
【００２２】
指示受付部１３１は、ユーザ端末２００及び／または動物病院端末３００のディスプレイ等において表示されるウェブ画面等のユーザインターフェースを介して、ユーザ及び／または動物病院の担当者が入力を行うことで、所定の要求を行ったとき、ユーザ端末２００及び／または動物病院端末３００から通信部１１０を介して指示を受付ける。
【００２３】
データ処理部１３２は、ユーザ及び／または動物病院担当者から受信した、診療データの閲覧、入力要求や会計処理要求に基づいて、所定のデータ処理を実行する。
【００２４】
画像生成部１３３は、ユーザ端末２００及び／または動物病院端末３００に表示される、ユーザインターフェースを構成するための画面情報を生成する。例えば、記憶部１２０に格納された画像及びテキストデータを素材として、所定のレイアウト規則に基づいて、各種画像及びテキストをユーザインターフェースの所定の領域に配置することで、ユーザインターフェースを生成する。画像生成部１３３に関連する処理は、ＧＰＵ（Graphics Processing Unit）によって実行することもできる。
【００２５】
＜処理＞
図３は、図１の動物病院端末３００の機能ブロック構成図である。動物病院端末３００は、通信部３１０と、表示操作部３２０と、記憶部３３０と、制御部３４０とを備える。
【００２６】
通信部３１０は、ネットワークＮＷを介してサーバ端末１００と通信を行うための通信インターフェースであり、例えばＴＣＰ／ＩＰ等の通信規約により通信が行われる。
【００２７】
表示操作部３２０は、ユーザが指示を入力し、制御部３４０からの入力データに応じてテキスト、画像等を表示するために用いられるユーザインターフェースであり、ユーザ端末３００がパーソナルコンピュータで構成されている場合はディスプレイとキーボードやマウスにより構成され、動物病院端末３００がタブレット端末で構成されている場合はタッチパネル等から構成される。この表示操作部３２０は、記憶部３３０に記憶されている制御プログラムにより起動されてコンピュータ（電子計算機）である動物病院端末３００により実行される。
【００２８】
記憶部３３０は、各種制御処理や制御部３４０内の各機能を実行するためのプログラム、入力データ等を記憶するものであり、ＲＡＭやＲＯＭ等から構成される。また、記憶部３３０は、サーバ端末１００との通信内容を一時的に記憶する。
【００２９】
制御部３４０は、記憶部３３０に記憶されているプログラムを実行することにより、動物病院端末３００の全体の動作を制御するものであり、ＣＰＵやＧＰＵ等から構成される。
【００３０】
ここで、本実施形態において、サーバ端末１００と動物病院端末３００との情報の送受信を中心に説明するため、ユーザ端末２００の機能構成について説明を省略するが、ユーザ端末２００の機能構成は、動物病院端末３００の機能構成と実質的に同等とすることができる。
【００３１】
なお、サーバ端末１００に表示操作部の機能を備える構成としても良く、この場合、ユーザ端末２００及び／または動物病院端末３００を備えない構成としても良い。
【００３２】
＜データ＞
図４は、サーバ１００の記憶部１２０に格納される電子カルテデータの一例を示す模式図である。
【００３３】
電子カルテデータ１０００は、例えば、ユーザ毎にユーザＩＤと関連づけて管理され、また、ユーザ毎のカルテデータは、受診日毎に管理される。ここで、ユーザとして、動物患者が挙げられる。
【００３４】
例えば、ユーザＩＤ１０００１で識別されるユーザの、受診日２０１９年８月２０日に入力された電子カルテデータとして、動物患者の飼主の基本情報（氏名、住所、Ｅメール、飼主がペットのために加入している任意保険の情報、割引適用の有無及び割引の額に関する情報等）、動物患者（ペット）情報（ペット名、性別、種別、体重等）、問診情報（状況、出欠、期間、食欲、体調、嘔吐の有無、下痢の有無等）、身体所見、病歴、検査、診断、処理／投薬、処方、メモ、及び動物患者（ペット）の動画／画像等の情報が含まれる。
【００３５】
ここで、飼主情報、ペット情報、問診情報及びペットの動画／画像の入力内容は、ユーザ端末２００から受信されたデータで構成され、身体所見その他動物患者の診断に関する情報は動物病院端末３００から受信されたデータで構成することができ、また、動物病院において医師等の担当者が、動物患者の飼主から取得した情報に基づいて動物病院端末３００に入力することで受信されたデータで構成することができる。
【００３６】
＜処理の流れ＞
図５は、本発明の第一実施形態に係る、電子カルテシステムを説明するフローチャートの一例である。
【００３７】
まず、サーバ端末１００の制御部１３０の指示受付部１３１は、通信部１１０を介して、動物病院端末３００から電子カルテの表示要求を受信する（Ｓ１０１）。表示要求に応じて、制御部１３０のデータ処理部１３２は、電子カルテに含まれる電子カルテデータを記憶部１２０の電子カルテデータ格納部１２１から取得し、画像生成部１３３は、取得した電子カルテデータ及び所定の画像及びテキストデータを基に、電子カルテ用ユーザインターフェース画面を動物病院端末３００に表示するために必要なデータを生成し、動物病院端末３００に送信する。動物病院端末３００は、動物病院端末３００に内蔵されたブラウザやアプリケーションを介して、図６に示すような電子カルテ用ユーザインターフェース４００を表示する処理を実行する。
【００３８】
＜画面表示例＞
図６は、本発明の第一実施形態に係る、動物病院端末３００において表示されるユーザインターフェースの一例である。
【００３９】
電子カルテ用ユーザインターフェース４００は、対象とする動物患者毎に、少なくとも、受診日毎に生成された診療データを表示する診療データ表示領域４０１と、受診日を示す情報を表示する日付表示領域４０２とで構成される。また、ユーザインターフェース４００には、動物患者の画像、動物患者の診療ステータス（診療中、検査中、診療終了、検査完了）等の情報を表示することができる。
【００４０】
診療データ表示領域４０１には、問診情報（状況、出欠、期間、食欲、体調、嘔吐の有無、下痢の有無等）、身体所見、病歴、検査、診断、処理／投薬、処方、メモ等の診療データが表示される。
【００４１】
また、後述するように、診療データに含まれる各々の項目について、情報を入力可能な領域が設けられ、動物病院端末３００の担当者による入力によって診療データが更新される。図７は、病歴を始め、検査、診断等各種項目のデータ入力を動物病院端末３００から受け付けることで診療データが更新されたユーザインターフェース４００を示す図である。
【００４２】
日付表示領域４０２には、動物患者の受診日に対応した日付が一又は複数表示される。後述するように、動物患者を診療する際に、動物病院の医師等の担当者は、受診日日付を生成するとともに、診療データを入力することで、ユーザインターフェース４００によって、日付と診療データと対応付けながら一覧に確認することができる。
【００４３】
次に、指示受付部１３１は、通信部１１０を介して、動物病院端末３００から、表示されている日付に対応する診療データに含まれるいずれかの項目について入力されたデータを受信する（Ｓ１０２）。
【００４４】
データ入力（新規レコード）を受信したことに応じて、データ処理部１３２は、受信したデータを、該当する診療データの項目に追加または修正することで、診療データを更新する（Ｓ１０３）。そして、データ処理部１３２は、更新された診療データを、電子カルテデータ格納部１２１から取得し、画像生成部１３３は、取得した診療データを基に、図７に示すような、更新診療データを表示するために必要なデータを生成し、動物病院端末３００に送信する。
【００４５】
次に、指示受付部１３１は、通信部１１０を介して、動物病院端末３００から、会計要求を受信する（Ｓ１０４）。例えば、動物病院端末３００において表示されるユーザインターフェース４００において、動物病院の医師等の担当者は、入力された診療データを基に診療報酬の計算処理を要求する。ここで、担当者は、電子カルテが表示され、また、その中で診療データが表示されている状態で、会計要求を行うことができる。
【００４６】
会計要求に応じて、データ処理部１３２は、記憶部１２０のユーザデータ格納部１２１に格納された動物患者の診療データ及び会計データ格納部１２２に格納された会計データを参照し、診療データに対応する報酬を算出する。
【００４７】
例えば、会計データ格納部１２２には予め、診療内容に応じた報酬テーブルが格納されており、データ処理部１３２は、会計データとして、例えば、初診料、再診料、血液検査料、薬代等の単価等の個別報酬を参照し、個数を掛け合わせることで報酬総額を算出することができる。
【００４８】
ここで、報酬テーブル生成に当たり、その病院が特定のグループに所属している場合、そのグループに属する各病院の報酬テーブルをサーバ端末１００において一元的に管理し、グループ間で共有することができる。共有形態として、個別の病院の報酬テーブル、若しくは、平均報酬額を共有する方法、または、近隣の病院（例えば、渋谷区に所在する病院）の報酬テーブル、若しくは、その平均額を共有する方法等が考えられる。
【００４９】
各病院は、共有された報酬額を基に自身の報酬テーブルを決定することができる。また、データ処理部１３２は、ユーザデータ格納部１２１に格納されたユーザデータの飼主基本情報を参照し、その飼主が動物患者に対して任意保険をかけている場合は、保険適用か否かを判定し保険適用後の報酬を算出したり、また、その飼主が所定のクーポンやポイントを保持している場合は割引後の報酬を算出したりすることもできる。ここで、算出した会計データは、ユーザ別に、ユーザデータ格納部１２１のユーザデータに含まれる会計情報として格納することができ、後日受診日毎に会計情報を確認することができる。
【００５０】
画像生成部１３３は、算出された報酬額を内訳とともに表示するために必要なデータを生成し、動物病院端末３００に送信する（Ｓ１０５）。動物病院端末３００は、動物病院端末３００に内蔵されたブラウザやアプリケーションを介して、図８に示すように、電子カルテ用ユーザインターフェース４００において、既に表示されている診療データに重畳させるように、会計表示領域４０４において、報酬額（報酬総額）と内訳（個別報酬額）を含む会計データを表示する。
【００５１】
この後、飼主から受け取った受取金額の入力（図示せず）が行われ、合計金額（支払金額）と受取金額とに基づいて支払処理が行われる。支払処理は端末及び／又はサーバに送信されて管理される。この際、画面遷移等することなく同一の画面において診療データ（動物患者情報）に重畳して受取金額の入力を受け付ける操作用インターフェースを表示することしてもよい（図示せず）。
【００５２】
なお、予め登録等行うことにより、この支払処理に関する支払情報を飼主ユーザ端末に送信することとしてもよい。更には、支払情報に基づいて保険申請書類に必要な情報を生成して飼主ユーザ端末に送信することとしてもよい。
【００５３】
（実施形態２）
図９及び図１０を参照して本発明の第２実施形態を説明する。実施形態２による電子カルテシステムは、診療データを表示する画面の構成と、受取金額の入力を受け付ける操作用インターフェースが上述した第１実施形態とは異なる。
【００５４】
図９に示されるように、動物病院端末の画面には診療データ（動物患者情報）の表示ウインドウ（表示領域）５００には、診療項目、診療科目、単価、数量、保険適用対象か否か、割引の有無、合計金額が表示される領域５０１が含まれている。これらの情報は、当該システムに当日新規に記憶されたレコードに基づいて自動で反映されることとしてもよいし、図示されるように「カルテからのインポート」という読込のための操作を促して診療データに反映することとしてもよい。また、表示領域５００には、最終的に支払いが必要な金額が「ご請求金額」として表示される領域５０２が含まれている。
【００５５】
図１０に示されるように、図９の画面から会計処理へ進むと、表示領域５００に重畳して受取金額の入力を受け付ける操作用インターフェースウインドウ５１０が表示される。図示される例では、請求金額に対して同額を飼主から現金で受け取ったため、数字ボタンをそのように操作し（「同額」を意味するボタンを用意することとしてもよい）、現金の欄に「￥８，２５０」が入力されている。この後、会計完了のボタンを操作することにより会計処理が完了する。
【００５６】
本発明による電子カルテシステムは、次のような構成を備えることとしてもよい。例えば、図１０に示した操作用インターフェースウインドウ５１０には現金、カード、後払いの３種類のみ表示されていたが、その他の決済方法としてもよい。また飼主端末と連携した決済方法を採用することとしてもよい。
【００５７】
なお、上述した実施の形態は、診療データから要した費用を算出し表示するものであったが、これから行う診療項目を入力して必要な費用を表示する見積もり機能を備えることとしてもよい。
【００５８】
診療項目に対する単価は、病院ごとに設定することが可能としてもよい。また、同一のグループに属する他の動物病院の単価を参考値として表示することとしてもよい。
【００５９】
以上のようなユーザインターフェースを提供することにより、動物病院の医師等の担当者は、診療データの入力とともに一元的に会計処理を行うことができる。
【００６０】
以上、開示に係る実施形態について説明したが、これらはその他の様々な形態で実施することが可能であり、種々の省略、置換および変更を行なって実施することが出来る。これらの実施形態および変形例ならびに省略、置換および変更を行なったものは、特許請求の範囲の技術的範囲とその均等の範囲に含まれる。
【符号の説明】
【００６１】
１  電子カルテシステム  １００  サーバ端末、１１０  通信部、１２０  記憶部、１３０  制御部、２００  ユーザ端末、３００  動物病院端末  ＮＷ  ネットワーク
【図１】
2022003595.tif 000003
【図２】
2022003595.tif 000004
【図３】
2022003595.tif 000005
【図４】
2022003595.tif 000006
【図５】
2022003595.tif 000007
【図６】
2022003595.tif 000008
【図７】
2022003595.tif 000009
【図８】
2022003595.tif 000010
【図９】
2022003595.tif 000011
【図１０】
2022003595.tif 000012